(57)【特許請求の範囲】
【請求項１】
植物を植えて栽培自在な成形ブロックを、栽培容器内に配置すると共に、前記成形ブロックに植物を植えて生育させる植物栽培方法であって、
水平面での断面につき、上端部が下端部より断面積が大きくなるように形成してなる前記成形ブロックの複数を、生育する植物の根圏に前記成形ブロック間の空隙が配置されるよう、前記栽培容器内に上下同一方向に配置し、前記成形ブロックに植えた前記植物を生育させる植物栽培方法。
【請求項２】
前記成形ブロックは、根の進入を許容すると共に多孔質で弾力を備えた成形ブロックである請求項１に記載の植物栽培方法。
【請求項３】
植物を植えて栽培自在な成形ブロックを、栽培容器内に配置すると共に、前記成形ブロックに植物を植えて生育させる植物栽培方法であって、
前記成形ブロックが、上端面が矩形形状で下端面が円形形状で、下端部ほど小径となる截頭錐体形状に形成してなる第１成形ブロックと、前記第１成形ブロックの上端矩形面での対角線を含む１つの鉛直面に沿って切断した形状で、上端面が三角形状で下端面が半円形状を有する第２成形ブロックとを備えて構成されており、
植物を植えた前記第１成形ブロックと、植物を植えていない前記第１成形ブロックと、植物を植えていない前記第２成形ブロックとを前記栽培容器内に配置して植物を生育させる植物栽培方法。
【請求項４】
前記第１成形ブロック及び前記第２成形ブロックは、根の進入を許容すると共に多孔質で弾力を備えた成形ブロックである請求項３に記載の植物栽培方法。
【請求項５】
植物を埋め込んで栽培自在な成形ブロックを、栽培容器内に配置してある植物栽培具であって、
前記成形ブロックは、水平面での断面につき、上端部が下端部より断面積が大きくなるように形成してなり、
生育する植物の根圏に前記成形ブロック間の空隙が配置されるよう、前記栽培容器内に上下同一方向に複数の前記成形ブロックが、前記栽培容器内に配置してある植物栽培具。
【請求項６】
前記成形ブロックが、根の進入を許容すると共に多孔質で弾力を備えた成形ブロックである請求項５に記載の植物栽培具。
【請求項７】
前記成形ブロックは、水平面での断面につき、矩形断面を有する截頭錐体形状に形成してなる請求項５又は６に記載の植物栽培具。
【請求項８】
前記成形ブロックは、水平面での断面につき、円形断面を有する截頭錐体形状に形成してなる請求項５又は６に記載の植物栽培具。
【請求項９】
植物を埋め込んで栽培自在な成形ブロックを、栽培容器内に配置してある植物栽培具であって、
前記成形ブロックが、上端面が矩形形状で下端面が円形形状で、下端部ほど小径となる截頭錐体形状に形成してなる第１成形ブロックと、前記第１成形ブロックの上端矩形面での対角線を含む１つの鉛直面に沿って切断した形状で、上端面が三角形状で下端面が半円形状を有する第２成形ブロックとを備えて構成されており、
植物を植えた前記第１成形ブロックと、植物を植えていない前記第１成形ブロックと、植物を植えていない前記第２成形ブロックとを前記栽培容器内に配置してある植物栽培具。
【請求項１０】
前記第１成形ブロック及び前記第２成形ブロックが、根の進入を許容すると共に多孔質で弾力を備えた成形ブロックである請求項９に記載の植物栽培具。
【発明の詳細な説明】
【０００１】
【発明の属する技術分野】
本発明は、植物を植えて栽培自在な成形ブロックを、栽培容器内に配置すると共に、前記成形ブロックに植物を植えて生育させる植物栽培方法、及び、植物栽培具に関する。
【０００２】
【従来の技術】
花卉や野菜などの植物苗が小型の合成樹脂製の保形容器で育生され、生育した植物は、より大きな栽培容器（例えば、植木鉢）に植物を植え替えて栽培されている。また、栽培農家や園芸業者は植物苗を、前記小型の合成樹脂製の保形容器で育成し、その容器に植物を植えたまま販売し、苗の購入者は、より大型の栽培容器や、或いは土壌に植物を植え替えて栽培している。
この種の植物栽培方法としての具体例を説明すると、図１３に示すように、合成樹脂製の保形容器２０ａに土２０ｂを充填した苗栽培具２０を用い（図１３（イ）参照）、栽培容器Ｐ１内に予め客土２１を充填すると共に、その中央部にくぼみを形成しておき（図１３（ハ）参照）、前記苗栽培具２０から保形容器２０ａを外した状態（図１３（ロ）参照）で土２０ｂが崩れないように注意しながら前記くぼみに埋めて、水やり等を行いながら植物Ｇを生育させる方法を採っていた（図１３（ニ）参照）。
この種の植物栽培具では、上述のとおり、客土２１は栽培容器Ｐ１内の苗栽培具２０から保形容器２０ａを外した土２０ｂの塊との隙間に充填されるものである（図１３（ニ）参照）。即ち、苗栽培具２０は、合成樹脂製の保形容器２０ａ内に土２０ｂが入れてある状態では形を呈するものの、植え付ける際には、保形容器２０ａは取り外されるから、単なる土２０ｂの塊で、植え付けた後に水やり等を行えば、栽培容器Ｐ１内にある客土２１と隙間無く一体化するものであった。更に、上記の方法によれば、植え替えや土壌の準備に栽培技術の熟練度が植物生育の良否に影響する。また、常に一定の栽培環境を得ることは難しい。
【０００３】
【発明が解決しようとする課題】
上述した従来の植物栽培方法、及び、植物栽培具によれば、上述のように、苗栽培具は、合成樹脂製の保形容器内に土が入れてある状態では成形体を呈するものの、植え付ける際には、保形容器は取り外されるから、単なる土の塊で、植え付けた後に水やり等を行えば、栽培容器内で客土と隙間無く一体化することに加えて、水やりによって土粒子間の間隙が小さくなって締まってゆく。
一方、植え付けられた植物が生育するためには、根が土壌内に均等に広がり、満遍なく水分や養分を吸収できる状態にするのが好ましい。そして、適度な通気性をも必要とする。
従って、従来の場合においては、土が締まってくると土粒子間隙に根が進入しにくい状態となり、更には土の通気性も低下する。その結果、根の生育が不充分となったり、土壌内での根の広がり方に片寄りが生じ易い問題点がある。
このような問題点は、何れにしても植物の充分な生育を妨げる原因になり易い。
【０００４】
従って、本発明の課題は、植物の栽培について熟練を要せず、容易に安定して行える植物栽培方法、及び、植物栽培具を提供するところにある。
【０００５】
【課題を解決するための手段】
請求項１の発明の特徴構成は、図１〜４に例示するごとく、植物を植えて栽培自在な成形ブロックを、栽培容器内に配置すると共に、前記成形ブロックに植物を植えて生育させる植物栽培方法であって、水平面での断面につき、上端部が下端部より断面積が大きくなるように形成してなる前記成形ブロックの複数を、生育する植物の根圏に前記成形ブロック間の空隙が配置されるよう、前記栽培容器内に上下同一方向に配置し、前記成形ブロックに植えた前記植物を生育させるところにある。
【０００６】
請求項１の発明の特徴手段によれば、成形ブロックの複数を用いるから、栽培容器の内空形状に合わせた自由な配置を選択でき、且つ、土で手を汚さずにスピーディーに簡単に造ることができる。
また、成形ブロックの複数を栽培容器内に配置するから、隣接させる成形ブロックどうしの間に空隙を形成自在にして、前記成形ブロックに植えた植物を生育させることができ、植え付ける植物によって異なる理想的な水はけの状態を、成形ブロックどうしの間に形成する空隙の大きさで自由に調整することが可能となる。例えば、極端に水はけの良い状態が必要な植物を植え付ける場合には、成形ブロックどうしの間の空隙を広く確保できるようにセットすることが可能となる。また、この空隙に関しては、水はけの問題のみならず、根の生育や、根への通気を促進する間隙としても有効に作用させることができる。
また、従来のように土をそのまま使用する場合には、複数種の土を用意して所定の割合に混合するといった手間を掛け、また熟練も必要であったが、本発明によれば、栽培容器内の成形ブロックそのもので植物を生育させることができるから、上述のような手間を省いて、簡単に園芸を楽しむことが可能となる上に、安定した植物の栽培が可能となる。更には、栽培容器の容量に合わせて必要な成形ブロックの数を割り出し易いから、従来起こりがちであった余剰残土の発生も防止でき、無駄を省くことができる。
また、植物の栽培に使用する成形ブロックは、栽培面積に応じた数を利用できるので、本発明は、多数を組合せ、ヒートアイランド現象の緩和や、地球温暖化防止のための屋上緑化用の培土として利用することもできる。
【０００７】
請求項２の発明の特徴構成は、前記成形ブロックが根の侵入を許容すると共に多孔質で弾力を備えたものであるところにある。
請求項２の発明の特徴手段によれば、根の侵入を許容すると共に多孔質で弾力を備えた成形体として形成した成形ブロックの複数を用いるから、栽培容器に成形ブロックを配置する際に、栽培容器の内空形状に合わせた自由な配置を選択でき、且つ、各成形ブロックの適度な弾力によって栽培容器の形に馴染ませやすく、栽培容器と複数の成形ブロックとからなる植物栽培具を、土で手を汚さずにスピーディーに簡単に造ることができる。そして、成形体そのものが根の進入を許容するから、植え付けた植物の生育に伴って、根が成形ブロック内を満遍なく広がることができ、成形ブロック内の水分や養分を効率よく吸収することができる。更には、成形ブロックそのものは弾力を備えた成形体であるから、水やりによって締まって隙間が無くなると言ったことも防止し易いから、上述のように水分や養分を効率よく吸収できる状態を持続することが可能となる。勿論、通気性の確保についても同様に持続することが可能となる。
【０００８】
請求項３の発明の特徴構成は、植物を植えて栽培自在な成形ブロックを、栽培容器内に配置すると共に、前記成形ブロックに植物を植えて生育させる植物栽培方法であって、前記成形ブロックが、上端面が矩形形状で下端面が円形形状で、下端部ほど小径となる截頭錐体形状に形成してなる第１成形ブロックと、前記第１成形ブロックの上端矩形面での対角線を含む１つの鉛直面に沿って切断した形状で、上端面が三角形状で下端面が半円形状を有する第２成形ブロックとを備えて構成されており、植物を植えた前記第１成形ブロックと、植物を植えていない前記第１成形ブロックと、植物を植えていない前記第２成形ブロックとを前記栽培容器内に配置して植物を生育させるところにある。
【０００９】
請求項４の発明の特徴構成は、前記第１成形ブロック及び前記第２成形ブロックは、根の進入を許容すると共に多孔質で弾力を備えた成形ブロックであるところにある。
【００１０】
請求項５の発明の特徴構成は、図１〜４に例示するごとく、植物を埋め込んで栽培自在な成形ブロックを、栽培容器内に配置してある植物栽培具であって、前記成形ブロックは、水平面での断面につき、上端部が下端部より断面積が大きくなるように形成してなり、生育する植物の根圏に前記成形ブロック間の空隙が配置されるよう、前記栽培容器内に上下同一方向に複数の前記成形ブロックが、前記栽培容器内に配置してあるところにある。
【００１１】
請求項５の発明の特徴構成によれば、請求項１の発明による作用効果と同様に成形ブロックの複数を用いるから、土で手を汚さずにスピーディーに植物栽培具を、簡単に造ることができる。
また、成形ブロックの複数を栽培容器内に配置するから、隣接させる成形ブロックどうしの間に空隙を形成自在にして、前記成形ブロックに植えた植物を生育させることができ、植え付ける植物によって異なる理想的な水はけの状態を、成形ブロックどうしの間に形成する空隙の大きさで自由に調整することが可能となる。例えば、極端に水はけの良い状態が必要な植物を植え付ける場合には、成形ブロックどうしの間の空隙を広く確保できるようにセットすることが可能となる。また、この空隙に関しては、水はけの問題のみならず、根の生育や、根への通気を促進する間隙としても有効に作用させることができる。
また、従来のように土をそのまま使用する場合には、複数種の土を用意して所定の割合に混合するといった手間を掛け、また熟練も必要があったが、本発明によれば、栽培容器内の成形ブロックそのもので植物を生育させることができるから、上述のような手間を省いて、簡単に園芸を楽しむことが可能となるばかりか、安定した栽培が可能となる。更には、栽培容器の容量に合わせて必要な成形ブロックの数を割り出し易いから、従来起こりがちであった余剰残土の発生も防止でき、無駄を省くことができる。
また、各成形ブロックを栽培容器内に設置した状態において、成形ブロックの上方側部分は、互いに当接した状態、又は、比較的近接した状態に配置できながらも、その下方側では、夫々の小径部の存在によって、隣接成形ブロック間に、空隙を形成し易くなる。
下端部が窄んでいるから、栽培容器内に成形ブロックを配置する際に、所望の位置に配置しやすい。
即ち、栽培容器内に成形ブロックを順次配置する際、順番が後になればなる程、栽培容器内でまだ残っている隙間開口が小さくなるが、小さな隙間開口であっても、成形ブロックの下端部だけでも入り込ませることができたら、そのまま押し込むことでその成形ブロックを栽培容器の底上に設置することが可能となる。
【００１２】
請求項６の発明の特徴構成は、前記成形ブロックが根の侵入を許容すると共に多孔質で弾力を備えた成形ブロックであるところにある。
【００１３】
請求項６の発明の特徴構成によれば、請求項２記載の植物栽培方法と同様に、根の侵入を許容すると共に多孔質で弾力を備えた成形体として形成した成形ブロックの複数を用いるから、栽培容器に成形ブロックを配置する際に、栽培容器の内空形状に合わせた自由な配置を選択でき、且つ、各成形ブロックの適度な弾力によって栽培容器の形に馴染ませやすく、栽培容器と複数の成形ブロックとからなる植物栽培具を、土で手を汚さずにスピーディーに簡単に造ることができる。そして、成形体そのものが根の進入を許容するから、植え付けた植物の生育に伴って、根が成形ブロック内を満遍なく広がることができ、成形ブロック内の水分や養分を効率よく吸収することができる。更には、成形ブロックそのものは弾力を備えた成形体であるから、水やりによって締まって隙間が無くなると言ったことも防止し易いから、上述のように水分や養分を効率よく吸収できる状態を持続することが可能となる。勿論、通気性の確保についても同様に持続することが可能となる。
【００１４】
請求項７の発明の特徴構成は、前記成形ブロックが、水平面での断面につき、矩形断面を有する截頭錐体形状に形成してあるところにある。
【００１５】
請求項８の発明の特徴構成は、前記成形ブロックが、水平面での断面につき、円形断面を有する截頭錐体形状に形成してあるところにある。
【００１６】
請求項７、請求項８の発明の特徴構成によれば、成形ブロックの複数個を前記栽培容器内に配置したとき、隣接させる成形ブロックどうしの間に空隙を容易に形成自在にして前記栽培容器内に配置し、前記成形ブロックに植えた植物を生育させるから、植え付ける植物によって異なる理想的な水はけの状態を、成形ブロックどうしの間に形成する空隙の大きさで自由に調整することが可能となる。例えば、極端に水はけの良い状態が必要な植物を植え付ける場合には、成形ブロックどうしの間の空隙を広く確保できるようにセットすることが可能となる。また、この空隙に関しては、水はけの問題のみならず、根の生育や、根への通気を促進する間隙としても有効に作用させることができる。
【００１７】
請求項９の発明の特徴構成は、植物を埋め込んで栽培自在な成形ブロックを、栽培容器内に配置してある植物栽培具であって、前記成形ブロックが、上端面が矩形形状で下端面が円形形状で、下端部ほど小径となる截頭錐体形状に形成してなる第１成形ブロックと、前記第１成形ブロックの上端矩形面での対角線を含む１つの鉛直面に沿って切断した形状で、上端面が三角形状で下端面が半円形状を有する第２成形ブロックとを備えて構成されており、植物を植えた前記第１成形ブロックと、植物を植えていない前記第１成形ブロックと、植物を植えていない前記第２成形ブロックとを前記栽培容器内に配置してあるところにある。
【００１８】
請求項９の発明の特徴構成によれば、栽培容器内に各成形ブロックを並べて配置した際に、上面に表れる部分は、各成形ブロックの矩形断面どうしが互いに当接した状態、又は、比較的近接した状態に配置でき、整列した成形ブロックによって植え付け面の上面での美観性を向上させることが可能となる。また、成形ブロックの下方側では、隣接する成形ブロックどうしは円形断面であるから、両成形ブロックが全周にわたって密接することを防止でき、成形ブロック間に適度な隙間を形成することが可能となる。
【００１９】
請求項１０の発明の特徴構成は、前記第１成形ブロック及び前記第２成形ブロックが、根の進入を許容すると共に多孔質で弾力を備えた成形ブロックであるところにある。
【００２０】
尚、上述のように、図面との対照を便利にするために符号を記したが、該記入により本発明は添付図面の構成に限定されるものではない。
【００２１】
【発明の実施の形態】
以下に本発明の実施の形態を図面に基づいて説明する。尚、図面において従来例と同一の符号で表示した部分は、同一又は相当の部分を示している。
【００２２】
図１〜４に、本発明の植物栽培具の一実施形態であるプランターＰを示す。
前記プランターＰは、植物Ｇを植えて栽培自在な成形ブロック１の複数と、それらを収容するための栽培容器Ｐ１とを備えて構成してある。
【００２３】
前記栽培容器Ｐ１は、図３に示すように、有底筒形状に形成してあり、底部分２の中央部には、水掃け用の排水孔２ａが形成してある。
そして、周部の筒部分３の高さ寸法は、前記成形ブロック１の高さ寸法より大きな寸法設定に形成してある。従って、前記底部分２上に各成形ブロック１を設置した状態では、成形ブロック１の上端部は、筒部分３の上端より低く位置することとなり、水やりをした際に、栽培容器Ｐ１から溢れ難いように構成してある。
この栽培容器Ｐ１は、特に限定されないが、例えば、合成樹脂、セラミックス、木材、石材、金属等の材料で形成することができるもので、所謂、市販の植木鉢等に相当する。
【００２４】
前記成形ブロック１は、バーク堆肥やピートモス、腐葉土などの有機質培土材を混合したものを、例えばポリエーテルポリオール（ポリオール成分）とポリイソシアネート（イソシアネート成分）とを反応させて得られる親水性ウレタンプレポリマーによって固結成形により一体成形した人工培土であり、多孔質で弾力を有した状態に形成してある。例えば、これら人工培土は、バーク堆肥やピートモス、腐葉土などの有機質培土材を、発泡ポリウレタン反応を利用することにより弾力を有した状態に成形保持し、空隙率が９０％以上となるように設計してある（特開昭５１−２７５４５号、特公昭５６−１８１６５号、特開昭５８−１９８５１６号、ＵＳＰ４０３４５０８、ＵＳＰ４１７５３５５参照）。尚、製造方法はこれらに限定されるものではなく、また、空隙率は適宜製法により変更できる。
栽培容器Ｐ１内に配置する際には、多少の変形を許容できるから、栽培容器Ｐ１の形状によく馴染んだ状態に設置することができながら、水やりを行ってもそのもの自体が締め固まることが無いから根の成長を阻害しない。従って、植え付けた植物Ｇの根は成形ブロックの多孔に沿って伸びることが許容され、成形ブロック内部全体に満遍なく広がって水分や養分を吸収することが可能となる。
本実施形態では、バーク堆肥やピートモス、腐葉土などの有機質培土材を混合してポリウレタンのようなポリマー樹脂のバインダーにより成形したものを根の侵入を許容すると共に多孔質で弾力を備えたものをもって例としたが、本発明においてはこれらに限らず、ブロック状に成形してあるものであれば、ロックウール、或いはラテックス樹脂やエチレン樹脂やプロピレン樹脂やスチロール樹脂やウレタン樹脂やフェノール樹脂、酢酸セルロース等を発泡させた各種発泡樹脂材で構成した植物栽培用床材が利用でき、また、これらの素材を使用した市販のブロック状に成形してある成形培土を使用することもできる。また、ピートモスなどの植物質培土材を圧縮成形したもの、セルロースなどの繊維状成形物、セラミックス、発泡錬石などの無機質発泡物、通常培土として用いられる各種の土壌を樹脂バインダーや接着剤により固めて成形して用いることもできる。成形ブロックの素材として好ましい多孔質の条件は、植物の生育上好ましいとされている通気性、吸水性、排水性、保水性を考慮して選択することができる。
また、成形ブロック１の形状は特に限定されないが、本例においては、その形状の差によって二種類のものが用意されている。
【００２５】
第一成形ブロック１Ａは、図５に示すように、上端面が矩形形状、下端面が円形形状で、下端部ほど小径となる截頭錐体形状に形成してある。当該実施形態においては、第一成形ブロック１Ａの設定寸法は、家庭用園芸での使用においては、概ね、外径が２ｃｍ〜１５ｃｍ、高さが５ｃｍ〜１５ｃｍ程度が好ましい。
そして、上端面の中央部分には、植物Ｇを植え付けることができる穴１ａを形成してある。この穴１ａには、植物Ｇを直に植え付けることも可能であるが、予め、穴に納まる形状の培土４を形成しておいて、この培土４で植物Ｇの苗を生育させ、そのまま前記穴１ａに嵌入することで植え付けを行うことも可能である。この場合の培土４は、成形ブロック１と同質材料によって形成してあってもよい。また、本例において用いる穴に納まる形状の培土は、市販の人工培土よりなるものを用いてもよい。形状は、例えば、図５に示すように、截頭四角錐形状に形成してあり、下端部ほど小径となるように構成してある。尚、植物Ｇを植え付ける以外の成形ブロックには、穴１ａが無いものを使用してもよい。
【００２６】
また、もう一種類の第二成形ブロック１Ｂは、図６に示すように、前記第一成形ブロック１Ａを、上端矩形面での対角線を含む一つの鉛直面に沿って切断した形状で、上端面が三角形状、下端面が半円形状となっている。但し、この第二成形ブロック１Ｂは、第一成形ブロック１Ａを上述の鉛直面で切断したり裂いて形成する事の他、成型時から第二成形ブロック１Ｂそのものの形状に成形して構成してあってもよい。
【００２７】
そして、前記栽培容器Ｐ１内への設置状況は、図３・４に示すように、中央に前記第一成形ブロック１Ａを一つと、その第一成形ブロック１Ａの上端矩形面各辺にそれぞれ接当させて周りの四つの第一成形ブロック１Ａを配置してある。また、周りの各第一成形ブロック１Ａ間の隙間には、前記第二成形ブロック１Ｂをそれぞれ配置してある。
尚、配置された各成形ブロック１どうしにより、全面的に密接する状態ではなく、適度な空隙Ｖが部分的（又は全面的）にできる（図３・４参照）。
配置する成形ブロックは、上端面の辺を接触させて配置してもよく、又、例えば、２ｃｍ程度の間隔をもって配置してもよい。
【００２８】
このように、プランターＰは、栽培容器Ｐ１内に、複数の成形ブロック１のみを配置して構成してあり、その中央部の第一成形ブロック１Ａに前記培土４を介して植物Ｇを植え付けてある。一方、他の第一成形ブロック１Ａの穴１ａには、植物Ｇ抜きの培土４を挿入してもよいが、穴１ａのまま残しておくことで、成形ブロック内に積極的に隙間を形成することが可能となり、保水性・通気性が向上すると共に、根の生育を無理なくサポートすることもできる。また、穴１ａには、粒状、スティック状、またはゼリー状の肥料を挿入する穴として使用してもよい。
【００２９】
当該実施形態のプランターＰによれば、各成形ブロック１間の空隙Ｖは、通気および通水状態の改善や、植物の生育に伴って更に根を広く分布させるための誘導路として機能する。通気および通水状態が良好となれば、根の生育が改善され、植物の栽培を安定して行える。また、前述した合成培土を成形した成形ブロックを使用した場合、水やりを行えば、前記成形ブロック１の多孔内に満遍なく広がり、植物Ｇへの給水を、好ましい状態で実施でき、また、成形ブロック１に備えさせた養分をも、生育する植物の根で効率よく吸収することができる。更には、根の広がりは、成形ブロック１によって受け入れることができるから、根の成長を阻害することなく好ましい状態に生育させることが可能となる。勿論、成形ブロック１が従来の土単体の場合のように硬く締まってしまうことがないから、植物の生育を継続的にサポートすることが可能となる。
【００３０】
次に、当該プランターＰの形成、及び、そのプランターＰの植物の栽培方法について説明する。
［１］  上述の各成形ブロック１Ａ・１Ｂ、栽培容器Ｐ１、培土４で生育させた植物Ｇの苗をそれぞれ用意する。
［２］  栽培容器Ｐ１内に各成形ブロック１Ａ・１Ｂを配置する。この際、無理やり詰め込むのではなく、それぞれの成形ブロック１間に若干の空隙Ｖを形成するのが好ましい。
［３］  中央部の成形ブロック１の穴１ａに、前記培土４によって植物Ｇを植え付ける。
［４］  適度な給水を行う。
【００３１】
このような方法によって、当該プランターＰを簡単に形成することができると共に、植え付けた植物Ｇの生育は、一般的に行われている植木鉢の土で生育させる栽培方法に比べて、熟練度の差が無く、安定してより短時間で健康的に且つより大きく育てることが可能となる。
【００３２】
〔実施例〕
第１の実施例として、直径２１ｃｍ、深さ１１ｃｍの丸鉢に、バーク堆肥やピートモスをポリウレタンのバインダーで一体成形した、上端面が７ｃｍ角の矩形形状、下端面が直径６センチの円形形状、高さが６．５ｃｍで下端部ほど小径となる截頭錐体形状の成形ブロック（図５参照）に植栽されたペチュニア１株と、未植栽の成形ブロック４個、上端矩形面での対角線を含む一つの鉛直面に沿って切断した形状のブロック（図６参照）４個を図１〜４に示すように配置し、３ヶ月間栽培を行った。栽培は、朝夕２回の潅水及び週１回の５００倍希釈液体肥料施肥により行った。
第一の比較例として、成形ブロックの代わりに市販培養土１．８リットルを充填した同形状の丸鉢に、土壌で育成されたペチュニア１株を図１３に示すように移植し、同じ条件で栽培を行った。
第２の実施例として、６４ｃｍ（長さ）×２３ｃｍ（巾）×１９ｃｍ（高さ）の角型プランター底面に、バーク堆肥やピートモスをポリウレタンのバインダーで一体成形した、上端面が７ｃｍ角の矩形形状、下端面が直径６ｃｍの円形形状、高さ６．５ｃｍで下端部ほど小径となる截頭錐体形状の成形ブロック２７個を敷き詰め、その上に植栽されたバーベナ３株と、未栽培の成形ブロック２４個を苗を囲むように約１ｃｍの空隙を設けて２段重ねで配置し、３ヶ月間栽培を行った。
第２の比較例として、成形ブロックの代わりに市販培養土１１リットルを充填した同形状の角型プランターに、土壌で育成されたバーベナ３株を移植し（図１３参照）、同じ条件で栽培を行った。
以上の第１・第２の結果は、成形ブロック栽培では、栽培１ヶ月後に植物体自身の発根力によりブロックが一体化すると共に均一な発根が認められた。それに対し、土壌栽培では根が鉢の周囲に伸長する根巻き現象を起こしていた。そのため、土壌栽培に比べ、ブロック栽培では、開花が早く、旺盛な生育を示した。また、成形ブロックが多孔質であり、空隙を設けて配置したことにより、軽量となり、運搬や移動も容易となった。
【００３３】
〔別実施形態〕
以下に他の実施形態を説明する。
【００３４】
〈１〉  成形ブロックの形状に関しては、先の実施形態で説明した第一成形ブロック１Ａと第二成形ブロック１Ｂとの形状に限るものではなく、各種形状を採用することが可能である。
例えば、上端面が矩形形状、下端面が円形形状で、下端部ほど小径となる截頭錐体形状に替えて、図７（ロ）に示すように、上端面・下端面とも矩形の截頭錐体形状であったり、図８（ロ）に示すように、上端面・下端面とも円形の截頭錐体形状であってもよい。また、上端面・下端面とも矩形・円形以外の形状であったり、又は、上端面・下端面どうしが異なる形状の截頭錐体であってもよい。
また、栽培容器Ｐ１内に複数の形成ブロック１を配置した際に、離間した部分を形成するように配置し、その部分に形成ブロック１間の空隙Ｖを確保することが好ましい。
〈２〉  栽培容器Ｐ１内における植物Ｇの植え付け位置は、先の実施形態の成形ブロック１に形成した穴１ａに限定されるものではなく、隣接させる成形ブロック１間に開口した空隙Ｖに、前述の培土４で生育させた植物Ｇを植え付けるものであってもよい。また、培土４を使用せずに直に植物Ｇを植え付けるものであってもよい。
〈３〉  栽培容器Ｐ１は、先の実施形態で説明した有底筒形状に限るものではなく、例えば、角型プランター、半球面からなるボール形状や、上広がりの有底筒形状、所謂、植木鉢形状であってもよい。
また、当該植物栽培具は、上方から水やりして栽培する使用方法を採用することの他に、例えば、図１１に示すように、水に浸けて、底部の排水孔２ａから栽培容器Ｐ１内に水を導き入れて栽培する使用方法を採ることも可能である。
この場合、水やりの都度、植物栽培具を水に浸ける方法でも良いが、水に浸けた状態で沈まないように形成することで、水に浸けたままで水耕栽培に近い状況で植物を栽培することが可能となる。当該植物栽培具を浸ける対象としては、例えば、水を貯留した容器・池・川・湖等を挙げることができる。
〈４〉  栽培容器Ｐ１内での成形ブロック１の配置は、先の実施形態で説明したものに限るものではなく、上下に複数段重ねてあってもよい。また、配置する成形ブロックは同一形状のもののみを使用する場合に限らない。
【図面の簡単な説明】
【図１】  プランターの形成状況を示す斜視図
【図２】  プランターを示す斜視図
【図３】  プランターを示す断面図
【図４】  プランターを示す上面図
【図５】  形成ブロックを示す分解斜視図
【図６】  形成ブロックを示す斜視図
【図７】  参考例（イ）及び別実施形態（ロ）の形成ブロックを示す概念図
【図８】  参考例（イ）及び別実施形態（ロ）の形成ブロックを示す概念図
【図９】  参考例の植物の植え付け状況を示す断面図
【図１０】  参考例の植物の植え付け状況を示す断面図
【図１１】  別実施形態の植物の植え付け状況を示す断面図
【図１２】  参考例の植物の植え付け状況を示す断面図
【図１３】  従来の植物の植え付け状況を示す説明図
【符号の説明】
１      成形ブロック
Ｇ      植物
Ｐ１    栽培容器
Ｓ      小径部
Ｖ      空隙
【図１】
0004814463.tif 000002
【図２】
0004814463.tif 000003
【図３】
0004814463.tif 000004
【図４】
0004814463.tif 000005
【図５】
0004814463.tif 000006
【図６】
0004814463.tif 000007
【図７】
0004814463.tif 000008
【図８】
0004814463.tif 000009
【図９】
0004814463.tif 000010
【図１０】
0004814463.tif 000011
【図１１】
0004814463.tif 000012
【図１２】
0004814463.tif 000013
【図１３】
0004814463.tif 000014